(57)【要約】  【課題】  固体高分子型燃料電池における固体高分子膜を透過する所定ガスの量を簡易に推定することができ、より安価な燃料電池システムを提供することである。  【解決手段】  固体高分子型燃料電池１０と、固体高分子型燃料電池１０のカソード側に存在する所定ガスの分圧となる第１分圧を推定するカソード側ガス分圧推定手段（Ｓ２）と、固体分子型燃料電池１０のアノード側に存在する前記所定ガスの分圧となる第２分圧を推定するアノード側ガス分圧推定手段（Ｓ４）と、前記所定ガスの前記第１分圧と前記第２分圧との差に基づいて固体高分子型燃料電池１０における固体高分子膜１１を透過する前記所定ガスの量を推定する膜透過ガス量推定手段（Ｓ３）とを備えた構成となる。【選択図】  図３
2006228528.tif 000002
【特許請求の範囲】
【請求項１】
固体高分子型燃料電池と、
前記固体高分子型燃料電池のカソード側に存在する所定ガスの分圧となる第１分圧を推定するカソード側ガス分圧推定手段と、
前記固体分子型燃料電池のアノード側に存在する前記所定ガスの分圧となる第２分圧を推定するアノード側ガス分圧推定手段と、
前記所定ガスの前記第１分圧と前記第２分圧との差に基づいて前記固体高分子型燃料電池における固体高分子膜を透過する前記所定ガスの量を推定する膜透過ガス量推定手段とを備えたことを特徴とする燃料電池システム。
【請求項２】
前記膜透過ガス量推定手段は、前記所定ガスの前記第１分圧と前記第２分圧との差に加えて固体高分型燃料電池の温度、湿度及び前記固体高分子膜の劣化度合いの少なくともいずれか１つに基づいて前記固体高分子膜を透過する前記所定ガスの量を推定することを特徴とする請求項１記載の燃料電池システム。
【請求項３】
前記アノード側ガス分圧推定手段または前記カソード側分圧推定手段は、前記膜透過ガス量推定手段にて推定された前記固体高分子膜を透過するガス量の積算値に基づいて前記第１分圧または前記第２分圧を推定することを特徴とする請求項１または２記載の燃料電池システム。
【請求項４】
前記所定ガスは、前記固体高分子型燃料電池のカソード側に酸化剤ガスとして供給される空気中の窒素ガスであって、
前記固体高分子型燃料電池の出力電圧を検出する電圧検出手段と、
前記固体高分子型燃料電池の出力電流を検出する電流検出手段と、
前記固体高分子型燃料電池の出力電圧と、その出力電流と、前記アノード側に存在する前記窒素ガスの量との関係に基づいて、前記電圧検出手段及び前記電流検出手段にて検出された出力電圧及び出力電流に対応した前記アノード側に存在する前記窒素ガスの量を決定するガス量決定手段とを有し、
前記アノード側ガス分圧推定手段は、前記ガス量決定手段にて決定された前記アノード側に存在する前記窒素ガスの量に基づいて、前記積算値を補正する補正手段を有することを特徴とする請求項３記載の燃料電池システム。
【請求項５】
前記所定ガスは、前記固体高分子型燃料電池のカソード側に酸化剤ガスとして供給される空気中の窒素ガスであって、
前記固体高分子型燃料電池のアノード側から排出されるガスが流れるアノード側ガス排出通路と、
前記アノード側ガス排出通路に設けられた排出バルブと、
前記膜透過ガス量推定手段にて推定された前記固体高分子膜を透過した窒素ガスの量が所定量以上となるときに前記排出バルブを開く排出バルブ制御手段とを備えることを特徴とする請求項１乃至４のいずれかに記載の燃料電池システム。
【発明の詳細な説明】
【技術分野】
【０００１】
本発明は、固体高分子型燃料電池を備えた燃料電池システムに関する。
【背景技術】
【０００２】
固体高分子型燃料電池では、燃料ガス（例えば、水素ガス）及び酸化剤ガス（例えば、酸素含有ガス（空気））が高分子電解質膜を透過するプロセスにおいて反応して起電力が発生する。このような固体高分子型燃料電池では、前記燃料ガス、酸化剤ガス、更にそれらに含まれる不純物ガス等の種々のガスの挙動を考慮して効率的に発電がなされるように制御することが好ましい。
【０００３】
不純物ガス、例えば、酸素含有ガスとして用いられる空気に含まれる窒素ガスは、発電プロセスには使用されず、発電に寄与する酸素と水素との反応を阻害する要因となっている。そこで、従来、燃料ガスが供給される固体高分子型燃料電池から排出される不純物ガス（例えば、窒素）を含むガスを固体高分子型燃料電池に帰還させる循環ラインを備えた燃料電池システムにおいて、前記循環ラインを流れるガス中に含まれる不純物ガス（例えば、窒素）の存在量が一定値を超えたときに前記循環ラインに設けられたパージ弁を開放させるようにした燃料電池システムが提案されている（例えば、特許文献１参照）。
【０００４】
この従来の燃料電池システムでは、循環ラインを流れるガス中に含まれる不純物ガスの存在量が一定値を超えたときにパージ弁が開放され、ガスと共にそれに含まれる不純物ガスがパージされるので、前記循環ラインを流れるガス中に含まれる不純物ガスの存在量を低減させることができる。その結果、不純物ガスの割合の少ないガスを固体分子型燃料電池に燃料ガスとして帰還させることができるようになる。
【特許文献１】特開平２００３−３１７７５２号公報
【特許文献２】特開平２００４−２８１１３２号公報
【特許文献３】特開平２００４−２６５６６７号公報
【特許文献４】特開平２００３−７７５０６号公報
【特許文献５】特開平２００４−１７２０２６号公報
【特許文献６】特開平２００４−１５８２７４号公報
【特許文献７】特開平２０００−５８０９２号公報
【発明の開示】
【発明が解決しようとする課題】
【０００５】
ところで、前述した従来の燃料電池システムでは、循環ラインを流れるガス中を伝播する超音波の伝播速度を測定し、その伝播時間から不純物ガスの濃度を演算して、更に、その不純物ガスの濃度、圧力、温度から不純物ガスの存在量を演算している。このため、循環ラインを流れるガス中の不純物ガスの存在量を得るには、超音波発信機や超音波の伝播時間を測定する機器等の特別な機器が必要となり、コストがかさんでしまう。
【０００６】
本発明は、このような従来の燃料電池システムの問題を解決するためになされたもので、固体高分子型燃料電池における固体高分子膜を透過する所定ガスの量を簡易に推定することができ、より安価な燃料電池システムを提供するものである。
【課題を解決するための手段】
【０００７】
本発明に係る燃料電池システムは、固体高分子型燃料電池と、前記固体高分子型燃料電池のカソード側に存在する所定ガスの分圧となる第１分圧を推定するカソード側ガス分圧推定手段と、前記固体分子型燃料電池のアノード側に存在する前記所定ガスの分圧となる
第２分圧を推定するアノード側ガス分圧推定手段と、前記所定ガスの前記第１分圧と前記第２分圧との差に基づいて前記固体高分子型燃料電池における固体高分子膜を透過する前記所定ガスの量を推定する膜透過ガス量推定手段とを備えた構成となる。
【０００８】
このような構成により、固体高分子型燃料電池のカソード側における所定ガスの推定分圧となる第１分圧と同アノード側における所定ガスの推定分圧となる第２分圧との差に基づいて前記固体高分子型燃料電池の固体高分子膜を透過する前記所定ガスの量が推定される。
【０００９】
また、本発明に係る燃料電池システムは、前記膜透過ガス量推定手段が、前記所定ガスの前記第１分圧と前記第２分圧との差に加えて固体高分型燃料電池の温度、湿度及び前記固体高分子膜の劣化度合いの少なくともいずれか１つに基づいて前記固体高分子膜を透過する前記所定ガスの量を推定する構成とすることができる。
【００１０】
固体高分子膜を透過するガスの量は、一般に、その固体高分子膜が使用される固体高分子燃料電池内の温度、湿度及び当該固体高分子膜の劣化の度合いに依存するので、前述したような構成により、より精度良く前記固体高分子膜を透過する所定ガスの量を推定することができるようになる。
【００１１】
また、本発明に係る燃料電池システムは、前記アノード側ガス分圧推定手段または前記カソード側分圧推定手段は、前記膜透過ガス量推定手段にて推定された前記固体高分子膜を透過するガス量の積算値に基づいて前記第１分圧または前記第２分圧を推定する構成とすることができる。
【００１２】
このような構成により、固体高分子型燃料電池の運転時間の経過と共に固体高分子膜をカソード側からアノード側、またはアノード側からカソード側に透過する所定ガスの積算値に基づいてアノード側における前記所定ガスの分圧である第２分圧またはカソード側における前記所定ガスの分圧である第１分圧が推定される。そして、更に、前記第１分圧と前記第２分圧との差に基づいて固体高分子膜を透過する前記所定ガスの量が推定される。このため、透過量の積算値に応じて変化する第１分圧または第２分圧（第１分圧と第２分圧との差）に基づいて固体高分子膜を透過する所定ガスの量が推定されるようになるので、当該固体高分子膜を透過する所定ガスの量の時間に対する変化の状況を推定することができるようになる。
【００１３】
更に、本発明に係る燃料電池システムは、前記所定ガスが、前記固体高分子型燃料電池のカソード側に酸化剤ガスとして供給される空気中の窒素ガスであって、前記固体高分子型燃料電池の出力電圧を検出する電圧検出手段と、前記固体高分子型燃料電池の出力電流を検出する電流検出手段と、前記固体高分子型燃料電池の出力電圧と、その出力電流と、前記アノード側に存在する前記窒素ガスの量との関係に基づいて、前記電圧検出手段及び前記電流検出手段にて検出された出力電圧及び出力電流に対応した前記アノード側に存在する前記窒素ガスの量を決定するガス量決定手段とを有し、前記アノード側ガス分圧推定手段は、前記ガス量決定手段にて決定された前記アノード側に存在する前記窒素ガスの量に基づいて、前記積算値を補正する補正手段を有する構成とすることができる。
【００１４】
このような構成により、固体高分子型燃料電池の出力特性（出力電圧、出力電流）に影響を与える窒素ガスについて、固体高分子型燃料電池の動作状況にマッチしたより精度の良い当該透過量の推定を行なうことができるようになる。
【００１５】
また、本発明に係る燃料電池システムは、前記所定ガスが、前記固体高分子型燃料電池のカソード側に酸化剤ガスとして供給される空気中の窒素ガスであって、前記固体高分子
型燃料電池のアノード側から排出されるガスが流れるアノード側ガス排出通路と、前記アノード側ガス排出通路に設けられた排出バルブと、前記膜透過ガス量推定手段にて推定された前記固体高分子膜を透過した窒素ガスの量が所定量以上となるときに前記排出バルブを開く排出バルブ制御手段とを備える構成とすることができる。
【００１６】
このような構成により、排出バルブの開弁に伴うアノード側からの燃料ガスの無駄な排出を低減しつつ、固体高分子型燃料電池のアノード側通路内の窒素ガス量の増加を抑制し、前記固体高分子型燃料電池の出力低下を抑えることができるようになる。
【発明の効果】
【００１７】
本発明に係る燃料電池システムによれば、固体高分子型燃料電池の固体高分子膜を透過する所定ガスの量の推定が、当該固体高分子型燃料電池のカソード側における前記所定ガスの推定分圧となる第１分圧と同アノード側における所定ガスの推定分圧となる第２分圧との差（分圧差）に基づいてなされるので、簡易にその推定を行なうことができるようになり、比較的安価な燃料電池システムを実現することができるようになる。
【発明を実施するための最良の形態】
【００１８】
以下、本発明の実施の形態について、図面を用いて説明する。
【００１９】
本発明の第一の実施の形態に係る燃料電池システムは、図１に示すように構成される。なお、図１は、複数の固体高分子型燃料電池が単セルとして積層された燃料電池（スタック）のうちの単セルについて示している。
【００２０】
図１において、この燃料電池システムは、固体高分子型燃料電池１０を有している。固定高分子型燃料電池１０は、電解質膜１１（固体高分子膜）と、電解質膜１１を挟むカソード極１２及びアノード極１３と、更に、カソード極１２及びアノード極１３の外側に配置されたセパレータ１４ａ、１４ｂとを備えている。カソード極１２及びアノード極１３のそれぞれは、電解質膜１１に隣接する触媒層とセパレータ１４ａ、１４ｂに隣接するガス拡散層との２層にて構成されている。なお、以下、電解質膜１１、カソード極１２及びアノード極１３を適宜ＭＥＡ（Membrane Electrode Assembly）という。
【００２１】
カソード極１２側のセパレータ１４ａには、エア供給通路２０１とエア排出通路２０２とが接続され、エア供給器２１からエア供給通路２０１を通してセパレータ１４ａに空気が酸化剤ガスとして供給される。供給された空気がセパレータ１４ａ内の通路を流れる際にＭＥＡに反応ガスとして供給され、残りの空気がセパレータ１４ａからオフガスとしてエア排出通路２０２を通して外部に排出される。
【００２２】
アノード極１３側のセパレータ１４ｂには、燃料ガス供給通路３０１と燃料ガス排出通路３０２とが接続され、水素ボンベ３１からの水素ガスがレギュレータ３２によって圧力調整され、燃料ガス通路３０１を通ってセパレータ１４ｂに燃料ガスとして供給される。供給された燃料ガス（水素ガス）がセパレータ１４ｂ内の通路を流れる際にＭＥＡに反応ガスとして供給され、残りの燃料ガスがセパレータ１４ｂから燃料ガス排出通路３０２に排出される。燃料ガス排出通路３０２を通る燃料ガスが水素ポンプ３３によって逆止弁３３が設けられた燃料ガス帰還通路３０３を通して燃料供給通路３０１に帰還される。また、燃料ガス帰還通路３０３には、燃料ガスパージ通路３０４が接続されており、後述する制御ユニット４０にて開閉制御のなされるプッシュ弁３５（排出バルブ）が燃料ガスパージ通路３０４に設けられている。なお、燃料ガス排出通路３０２から水素ポンプ３３を介して燃料ガスパージ通路３０４に続く通路が、アノード側排出通路となる。
【００２３】
固体高分子型燃料電池１０におけるカソード極１２とアノード極１３との間には、電力
を供給すべき負荷１００が電気的に接続される。
【００２４】
エア供給通路２０１のセパレータ１４ａ近傍にカソード側供給ガス圧センサ２２が設けられると共に、エア排出通路２０２のセパレータ１４ａ近傍にカソード側排出ガス圧センサ２３が設けられている。カソード側供給ガス圧センサ２２は、エア供給通路２０１を通してセパレータ１４ａに供給される空気の供給圧力ＰＣＩを検出する。カソード側排出ガス圧センサ２２は、セパレータ１４ａからエア排出通路２０２に排出される空気の排出圧力ＰＣＯを検出する。また、燃料ガス供給通路３０１のセパレータ１４ｂ近傍にアノード側供給ガス圧センサ３６が設けられると共に、燃料ガス排出通路３０２のセパレータ１４ｂ近傍にアノード側排出ガス圧センサ３７が設けられている。アノード側供給ガス圧センサ３６は、燃料ガス供給通路３０１を通してセパレータ１４ｂに供給される燃料ガスの供給圧力ＰＡＩを検出する。アノード側排出ガス圧センサ３７は、セパレータ１４ｂから燃料ガス排出通路３０２に排出される燃料ガスの排出圧力ＰＡＯを検出する。
【００２５】
この燃料電池システムは、制御ユニット４０を有している。制御ユニット４０は、カソード側供給ガス圧センサ２２、カソード側排出ガス圧センサ２３、アノード側供給ガス圧センサ３６及びアノード側排出ガス圧センサ３７からの各検出信号（空気の供給圧力ＰＣＩ及び排出圧力ＰＣＯ、燃料ガスの供給圧力ＰＡＩ及び排出圧力ＰＡＯを表す）に基づいてプッシュ弁３５の開閉制御を行なう。
【００２６】
このような構造の燃料電池システムにおける固体高分子型燃料電池１０の発電原理は次のようなものである。
【００２７】
セパレータ１４ｂからアノード極１３に供給された水素ガスがガス拡散層を拡散し、触媒層にてプロトンと電子に分離される。プロトンは、電解質膜１１を透過してカソード極１２の触媒層に移動し、電子が負荷１００を通ってカソード極１２の触媒層に移動する。一方、セパレータ１４ａからカソード極１２に供給された空気がガス拡散層を拡散し、触媒層にて前記プロトン、電子及び空気中の酸素が反応して水が生成される。このようなプロセスが継続することにより、負荷１００に対して電子（電流）が継続的に供給される。
【００２８】
ところで、前述したプロセスにおいて、カソード極１２に供給される空気には、酸素の他、前記反応に直接寄与しない窒素が含まれている。この窒素は、カソード極１２側の分圧と、アノード極１３側の分圧との差に応じて電解質膜１１を透過してカソード極１２側からアノード極１３側に移動する。そして、アノード極１３側の窒素濃度が上がっていくと、アノード極１３側での水素ガス濃度が相対的に低下し、固体分子型燃料電池１０の発電能力が低下する。
【００２９】
カソード極１２側の窒素分圧ＰＣＮ２とアノード極１３側の窒素分圧ＰＡＮ２は、固体高分子型燃料電池１０の動作中に、一般的に、図２に示すように時間と共に変化する。即ち、常時空気の供給されるカソード極１２側では、カソード側ガス全圧ＰＣtotalの８０％が窒素ガス分圧ＰＣＮ２となり、その窒素ガス分圧ＰＣＮ２が略一定に維持される。一方、アノード極１３側では、水素ガスの常時供給によってアノード側ガス全圧ＰＡtotalが略一定に維持された状態において、窒素ガス分圧ＰＡＮ２が、カソード極１２側の窒素ガス分圧ＰＣＮ２と均衡するまで次第に増加する。
【００３０】
当該燃料電池システムでは、前述したようにカソード極１２側の窒素分圧ＰＣＮ２とアノード極１３側の窒素分圧ＰＡＣＮ２との差に応じて電解質膜１１を透過してカソード極１２側からアノード極１３側に移動する窒素ガスの透過量を推定し、その推定量に基づいたアノード極１３側の窒素濃度に応じてプッシュ弁３５の開放タイミングを制御している。具体的には、制御ユニット４０が図３に示す手順に従った処理を実行する。
【００３１】
図４において、固体高分子型燃料電池１０に対して水素ガス（燃料ガス）及び空気（酸化剤ガス）の供給が開始され、固体高分子型燃料電池１０が始動すると、制御ユニット４０は、カソード１２極側の窒素ガス分圧ＰＣＮ２の推定演算を行なう（Ｓ１）。具体的には、カソード側供給ガス圧センサ２２からの供給圧力ＰＣＩとカソード側排出ガス圧センサ２３からの排出圧力ＰＣＯとを用い、
ＰＣＮ２＝０．８（ＰＣＩ＋ＰＣ０）／２          （１）
に従ってカソード極１２側の窒素ガス分圧ＰＣＮ２を算出する。即ち、空気（酸化剤ガス）の供給圧力ＰＣＩとその排出圧力ＰＣＯとの平均値をカソード側ガス全圧ＰＣtotal（ＰＣtotal＝（ＰＣＩ＋ＰＣＯ）／２）とし、その８０％をカソード極１２側の窒素ガス分圧ＰＣＮ２として推定する。
【００３２】
次いで、制御ユニット４０は、アノード極１３側の窒素ガス分圧ＰＡＮ２の推定演算を行なう（Ｓ２）。動作当初では、アノード極１３側には窒素ガスが存在しないので、その初期値をゼロ（ＰＡＮ２＝０）とする。
【００３３】
更に、制御ユニット４０は、前記推定演算にて得られたカソード極１２側の窒素ガス分圧ＰＣＮ２とアノード極１３側の窒素ガス分圧ＰＡＮ２（初期値ゼロ）との差に基づいて電解質膜１１を透過する窒素ガスの量ｎN２の推定演算を行なう（Ｓ３）。具体的には、電解質膜１１の透過係数ｋｐを用いて微小時間Δｔ（例えば、当該透過量の推定演算サイクル）における透過量ｎＮ２が、
ｎＮ２＝ｋｐ（ＰＣＮ２−ＰＡＮ２）×Δｔ              （２）
に従って演算される。
【００３４】
次に、制御ユニット４０は、透過量の積算値ΣｎＮ２（初期値ゼロ）に今回得られた透過量ｎＮ２を加算してΔｔ後の積算値ΣｎＮ２を演算する（Ｓ４）。そして、制御ユニット４０は、その積算値ΣｎＮ２、即ち、アノード極１３側に透過した窒素ガスの総量が所定の基準値αに達したか否かを判定する（Ｓ５）。この基準値αは、例えば、許容される発電性能を維持し得るアノード極１３側の窒素ガス量の上限に基づいて定めることができる。
【００３５】
前記積算値ΣｎＮ２が前記基準値αに達していなければ、制御ユニット４０は、再度、カソード極１２側の窒素ガス分圧ＰＣＮ２の推定演算を行ない（Ｓ１）、更に、アノード極１３側の窒素ガス分圧ＰＣＮ２の推定演算を行なう（Ｓ２）。このアノード極１３側の窒素ガス分圧ＰＡＮ２の推定演算は、前記窒素ガスの透過総量（積算値ΣｎＮ２）と、水素ガスの供給量、水素ガス消費量、および水素ガス排出量等に基づくアノード極１３での水素ガス総量との比から求めることができる。また、水素ガス排出量は、プッシュ抜きに伴うアノード側から水素ガス排出量およびカソード極１２への水素ガス拡散量から求めることができる。また、水素ガス排出量としては、燃料電池の構成に応じて、経験値に基づく実験式（またはマップ）を設定して、制御ユニット４０内の所定のメモリに記憶しておいてもよい。
【００３６】
そして、制御ユニット４０は、前述したのと同様に、カソード極１２側の推定窒素ガス分圧ＰＣＮ２とアノード極１３側の推定窒素ガス分圧ＰＡＮ２との差に基づいて窒素ガスの透過量ｎＮ２を算出し（Ｓ３）、その透過量の積算値ΣｎＮ２を算出する。以後、制御ユニット４０は、前記積算値ΣｎＮ２が基準値αに達するまで（Ｓ５でＹＥＳ）、前述した処理（Ｓ１乃至Ｓ５）を実行する。なお、このような判定の基準となる基準値としては、前記積算値ΣｎＮ２に対する基準値αに代えて、積算値ΣｎＮ２から求められる窒素ガス分圧ＰＡＮ２に対する基準値を使用してもよい。
【００３７】
このような処理がなされる過程で、固体高分子型燃料電池１０におけるアノード極１３側の実際の窒素ガス分圧ＰＡＮ２は、図４に示すように、窒素ガスの電解質膜１１を通したカソード極１２からアノード極１３への移動により次第に上昇していく。
【００３８】
窒素ガスの透過総量、即ち、前記積算値ΣｎＮ２が前記基準値αに達すると（Ｓ５でＹＥＳ）、制御ユニット４０は、アノード側供給ガス圧センサ３６からの供給圧力ＰＡＩとアノード側排出ガス圧センサ３７からの排出圧力ＰＡＯに基づいてアノード極１３側の全ガス圧ＰＡtotal（前）を算出する（Ｓ６）。例えば、前記供給圧力ＰＡＩと排出圧力ＰＡＯとの平均値がアノード極１３側の全ガス圧ＰＡtotal（前）として算出される。
【００３９】
そして、制御ユニット４０は、所定の開弁時間、プッシュ弁３５の開弁制御を行なう（Ｓ７）。これにより、アノード極１３側の窒素ガスを含む燃料ガスが燃料ガス排出通路３０２、水素ポンプ３３を通り、燃料ガス循環通路３０３を通ることなく、燃料ガスパージ通路３０４を通って外部に排出される（パージ動作）。このとき、図４の時刻ｔ０に示すように、アノード極１３側の全ガス圧ＰＡtotalが瞬時に低下すると共に、窒素ガス分圧ＰＡＮ２が瞬時に低下する。
【００４０】
制御ユニット４０は、プッシュ弁３５の開弁制御を行なった後に、再度、アノード極１３側の全ガス圧ＰＡtotal（後）を算出し（Ｓ８）、パージ処理後におけるアノード極１３側の窒素ガス分圧ＰＡＮ２の推定値（初期値）を演算する（Ｓ９）。具体的には、前記パージにより、窒素ガス分圧ＰＡＮ２が、全ガス圧ＰＡtotalと同じ割合で低下したものと仮定して、パージ処理前の推定演算により得られていた窒素ガス分圧ＰＡＮ２及びパージ処理前後の全ガス圧ＰＡtotal（前）、ＰＡtotal（後）を用いて窒素ガス分圧ＰＡＮ２の初期値が
ＰＡＮ２＝ＰＡＮ２×ＰＡtotal（後）／ＰＡtotal（前）          （３）
に従って演算される。ここで、ＰＡtotal（後）としては、例えば、大気圧と同じと仮定し、１気圧を用いてもよい。
【００４１】
前記パージ処理によりアノード極１３側の窒素ガス分圧ＰＡＮ２（窒素ガス濃度）が低下させられた状態で、固体高分子型燃料電池１０は発電動作を継続する。そして、制御ユニット４０は、再度、前述した処理と同様の処理（Ｓ１乃至Ｓ５）を実行する。その過程で、アノード極１３側の窒素ガス分圧ＰＡＮ２の推定演算（Ｓ２）で用いられる初期値として、前記式（３）で算出された窒素ガス分圧ＰＡＮ２（ゼロではない）が用いられる。
【００４２】
以後、制御ユニット４０は、推定演算（Ｓ１）により得られたカソード極１２側の窒素ガス分圧ＰＣＮ２と推定演算（Ｓ２）により得られたアノード極１３側の窒素ガス分圧ＰＡＮ２の差に基づいて、電解質膜１１を通してカソード極１２側からアノード極１３側に移動する窒素ガスの量（透過量）ｎＮ２を推定し（Ｓ３）、その透過量ｎＮ２の積算値ΣｎＮ２を演算する（Ｓ５）。そして、その積算値ΣｎＮ２が基準値αに達する毎に、プッシュ弁３５の開弁制御（パージ処理）を実行する。その結果、アノード極１３側の窒素ガス分圧ＰＡＮ２は、図４の時刻ｔ１、ｔ２に示されるように、パージ処理がなされる毎に低下し、カソード極１２側の窒素ガス分圧ＰＣＮ２に達することなく推移する。
【００４３】
前述したような本発明の第一の実施の形態に係る燃料電池システムによれば、前記基準値αを適切に設定することにより、パージ処理により水素ガスを無駄に排出させることなく、窒素ガス濃度が上昇して固体高分子型燃料電池１０の動作に支障をきたすことのないタイミングでアノード極１３側の燃料ガスのパージ処理ができるようになる。
【００４４】
また、電解質膜１１を通してカソード極１２側からアノード極１３側に移動する窒素ガスの透過量ｎＮ２は、カソード極１２側の窒素ガス分圧ＰＣＮ２とアノード極１３側の窒
素ガス分圧ＰＡＮ２との差に基づいて推定算出されるので、従来のシステムのように、超音波発信機や超音波の伝播時間を測定する機器等の特別な機器を用いることなく、前記透過量ｎＮ２を推定することができる。従って、当該燃料電池システムを比較的安価に実現することができるようになる。
【００４５】
ところで、電解質膜１１のガス透過特性は、温度、湿度、その膜の劣化度合いに依存する。このことを考慮して、制御ユニット４０は、図５に示す手順にしたがって処理を行なうこともできる。図５に示す処理は、窒素ガスの透過量ｎＮ２の推定演算（Ｓ３）の前に、その推定演算にて用いられる電解質膜１１の透過係数ｋｐの値を温度、湿度、膜劣化度合に応じて設定するステップＳ３０が新たに設けられている点で、図３に示す処理と異なる。
【００４６】
この場合、燃料電池システムは、図１に示す構成に加え、固体高分子型燃料電池１０の温度を検出する温度検出器、反応ガス（カソード極１２およびアノード極１３）中の湿度を検出する湿度検出器、固体高分子型燃料電池１０の動作積算時間を膜劣化度合として測定するタイマを有している。また、制御ユニット４０は、電解質膜１１の透過係数ｋｐと、温度、湿度及び動作積算時間との関係を示すマップを有する。
【００４７】
制御ユニット４０は、図５に示すステップＳ３０において、温度検出器、湿度検出器及びタイマから検出温度、検出湿度及び動作積算時間を取得する。そして、前記マップを参照して、前記検出温度、検出湿度及び動作積算時間に対応する透過係数ｋｐの値を設定する。このように値の設定された透過係数ｋｐを用い、推定されたカソード極１２側の窒素ガス分圧ＰＣＮ２（Ｓ１参照）と推定されたアノード極１３側の窒素ガス分圧ＰＡＮ２（Ｓ２参照）との差に基づいて、窒素ガスの透過量ｎＮ２が前記式（２）に従って演算される。
【００４８】
このような処理により、窒素ガスの透過量ｎＮ２は、推定されたカソード極１２側の窒素ガス分圧ＰＣＮ２と推定されたアノード極１３側の窒素ガス分圧ＰＡＮ２との差に加え、電解質膜１１の透過特性（透過係数ｋｐ）に影響を与える固体高分子型燃料電池１０の温度、湿度及び膜劣化度合に基づいて推定演算できるようになる。従って、電解質膜１１を通して透過する窒素ガスの透過量ｎＮ２をより精度良く推定することができるようになる。
【００４９】
なお、前記透過係数ｋｐの値は、温度、湿度及び膜劣化度合の全てを考慮しなくても、それらのうちの少なくとも１つに基づいて可変設定されるものであればよい。この場合、少なくとも前記透過係数ｋｐを固定値として用いる場合に比べて、窒素ガスの透過量ｎＮ２を精度良く推定するこができるようになる。また、膜劣化度合は、単純に動作積算時間によって推定してもよいが、動作積算時間の他さらに、動作時の総発電量によって推定してもよい。また、動作時の温度（平均温度、最高温度、最低温度）、湿度（平均湿度、最高湿度、最低湿度）等に基づいて推定してもよい。
【００５０】
次に、本発明の第二の実施の形態について説明する。
【００５１】
第二の実施の形態は、固体高分子型燃料電池１０の出力電流−出力電圧特性（Ｉ−Ｖ特性）に基づいて判定されたアノード極１３側の窒素ガス濃度に基づいて、窒素ガスの透過量ｎＮ２の積算値ΣｎＮ２を補正するようにした点で、前述した第一の実施の形態と異なる。
【００５２】
本発明の第二の実施の形態に係る燃料電池システムは、図６に示すように構成される。
【００５３】
図６において、この燃料電池システムは、図１に示すシステムの構成に加えて、固体高分子型燃料電池１０の出力電圧Ｖを検出する電圧検出器４１と、同出力電流Ｉを検出する電流検出器４２とを有している。制御ユニット４０は、電圧検出器４１の検出電圧値Ｖと電流検出器４２の検出電流値Ｉを監視する。
【００５４】
前述したように、固体高分子型燃料電池１０の動作中には、カソード極１２側に供給される空気中の窒素ガスが電解質膜１１を透過してアノード極１３側に移動する。そのため、アノード極１３側の窒素ガス濃度Ｄ（Ｎ２）は、固体高分子型燃料電池１０の動作と共に、例えば、図７に示すように上昇する。このアノード極１３側の窒素ガス濃度Ｄ（Ｎ２）が上昇するにつれて、固定高分子型燃料電池１０の発電能力が低下する。
【００５５】
その発電能力を表す固体高分子型燃料電池１０のＩ−Ｖ特性は、例えば、図８に示すように、アノード極１３側の窒素ガス濃度Ｄ（Ｎ２）に応じて変化する。図８に示す場合、アノード極１３側の窒素ガス濃度Ｄ（Ｎ２）が４０％（Ｄ４（Ｎ２）＝４０％）となるときに固体高分子型燃料電池１０の発電限界に達する。即ち、固体高分子型燃料電池１０の出力電圧Ｖと出力電流Ｉとからアノード極１３側の窒素ガス濃度Ｄ（Ｎ２）を推定することができる。このことから、制御ユニット４０は、例えば、図８に示すような、固体高分子型燃料電池１０の出力電圧Ｖ及び出力電流と、アノード極１３側の窒素ガス濃度Ｄ（Ｎ２）との関係を表すマップ（Ｉ−Ｖマップ）を内部に格納している。
【００５６】
制御ユニット４０は、図９に示す手順に従って処理を実行する。
【００５７】
図９において、制御ユニット４０は、前述した例（図３参照）と同様に、カソード極１２側の窒素ガス分圧ＰＣＮ２を前記式（１）に従って推定演算し（Ｓ１）、アノード極１３側の窒素ガス分圧ＰＡＮ２（初期値＝０）を推定演算する（Ｓ２）。更に、制御ユニット４０は、前述した例と同様に、前記推定演算にて得られたカソード極１２側の窒素ガス分圧ＰＣＮ２とアノード極１３側の窒素ガス分圧ＰＡＮ２との差及び電解質膜１１の透過係数ｋｐを用い、前記式（２）に従って微小時間Δｔ内における透過量ｎＮ２を推定演算し（Ｓ３）、その積算値ΣｎＮ２を演算する（Ｓ４）。
【００５８】
制御ユニット４０は、その後、電流検出器４２から検出電流Ｉ（出力電流）を取得すると共に（Ｓ４１）、電圧検出器４１から検出電圧Ｖ（出力電圧）を取得する（Ｓ４２）。そして、制御ユニット４０は、図８に示す関係を表すＩ−Ｖマップを参照して、前記取得した検出電流Ｉ及び検出電圧Ｖに対応するアノード極１３側の窒素ガス濃度Ｄ（Ｎ２）値を判定する（Ｓ４３）。
【００５９】
このようにして、固体高分子型燃料電池１０の現在の発電状況（出力電圧Ｖ、出力電流Ｉ）に基づいて判定されるアノード極１３側の窒素ガス濃度Ｄ（Ｎ２）が得られると、制御ユニット１０は、その窒素ガス濃度Ｄ（Ｎ２）と、前述したように窒素ガスの透過量ｎＮ２の積算値ΣｎＮ２、即ち、アノード極１３側に移動した窒素ガスの総量から得られるアノード極１３側の窒素ガス濃度Ｄ（ΣｎＮ２）との差が基準値β以下であるか否かを判定する（Ｓ４４）。この判定は、カソード極１２側の窒素ガス分圧ＰＣＮ２とアノード極２３側の窒素ガス分圧ＰＡＮ２との差に基づいて推定された窒素ガスの透過量ｎＮ２の積算値ΣｎＮ２が、固体高分子型燃料電池１０の現実の発電能力に相応しているものであるか否かを判定することに相当する。
【００６０】
前記各窒素ガス濃度Ｄ（Ｎ２）とＤ（ΣｎＮ２）との差が前記基準値β以下となる場合（Ｓ４４でＹＥＳ）、前記積算値ΣｎＮ２が固体高分子型燃料電池１０の現実の発電能力に相応するものであるとして、制御ユニット４０での処理は図３に示すステップＳ５に進む。そして、前記積算値ΣｎＮ２が基準値αに達していないとの判定がなされると（Ｓ５
でＮＯ）、制御ユニット４０での処理は図９に示すステップＳ１に戻る。以後、制御ユニット４０は、同様の処理（Ｓ１乃至Ｓ４４、Ｓ５）を実行し、前記各窒素ガス濃度Ｄ（Ｎ２）とＤ（ΣｎＮ２）との差が前記基準値β以下となる状況において、その処理を繰り返す。その過程で、前記積算値ΣｎＮ２が前記基準値αに達すると（Ｓ５でＹＥＳ）、図３に示すステップＳ６乃至Ｓ９の処理が実行されることにより、前述したパージ処理及びパージ処理後におけるアノード極１３側の窒素ガス分圧ＰＡＮ２の初期値の設定がなされる。そして、制御ユニット４０での処理は図９に示すステップＳ１に戻る。この場合、図３に示す処理と実質的に同じとなる。
【００６１】
一方、前記処理の過程で、前記各窒素ガス濃度Ｄ（Ｎ２）とＤ（ΣｎＮ２）との差が前記基準値βを超えると（Ｓ４４でＮＯ）、前記積算値ΣｎＮ２が固体高分子型燃料電池１０の現実の発電能力に相応しないものであるとして、制御ユニット４０は、Ｉ−Ｖマップから得られた窒素ガス濃度Ｄ（Ｎ２）に基づいて、前記積算値ΣｎＮ２を補正する（Ｓ４５）。具体的には、例えば、Ｉ−Ｖマップから得られた窒素ガス濃度Ｄ（Ｎ２）に基づいてアノード極１３側の窒素ガスの存在量が演算され、その存在量が新たな積算値ΣｎＮ２として設定される。
ただし、前記各窒素ガス濃度Ｄ（Ｎ２）とＤ（ΣｎＮ２）との差が前記基準値βを超えたときに（Ｓ４４でＮＯ）、アノード極１３への水素ガス供給量を所定の限界まで増加することにより、アノード極１３側の窒素ガス分圧ＰＡＮ２を初期値０と見なせる程度までアノード極１３側の水素ガス分圧ＰＡＨ２を増加し、初期状態にて図３のＳ３から再度処理を開始するようにしてもよい。
【００６２】
そして、制御ユニット４０での処理が図３に示すステップ５に進み、前記新たな積算値ΣｎＮ２が基準値αに達しているか否かが判定される。この積算値ΣｎＮ２が前記基準値αに達していいなければ（Ｓ５でＮＯ）、制御ユニット４０での処理は図９に示すステップＳ１に戻り、カソード極１２側の窒素ガス分圧ＰＣＮ２の推定演算がなされ、アノード極１３側の窒素ガス分圧ＰＡＮ２の推定演算がなされる（Ｓ２）。このアノード極１３側の窒素ガス分圧ＰＡＮ２の推定演算において、前記Ｉ−Ｖマップから得られた窒素ガス濃度Ｄ（Ｎ２）に基づいて補正された積算値ΣｎＮ２が用いられる。以後、図９に示す処理及び図３に示す処理が前述したように繰り返し実行される。
【００６３】
前述した第二の実施の形態に係る燃料電池システムでは、推定演算（Ｓ３）により得られる窒素ガスの透過量ｎＮ２の誤差が累積してその積算値ΣｎＮ２が現実の固体高分子型燃料電池１０の発電能力に相応しないものとなったとしても、前記積算値ΣｎＮ２が固体高分子型燃料電池１０の発電能力を表すＩ−Ｖマップから得られるアノード極１３側の窒素ガス濃度Ｄ（Ｎ２）に基づいて補正される。このため、その補正後の積算値ΣｎＮ２を用いて推定されるアノード極１３側の窒素ガス分圧ＰＡＮ２の精度が向上し、その結果、カソード極１２側の窒素ガス分圧ＰＣＮ２とアノード極１３側の窒素ガス分圧ＰＡＮ２との差に基づいて推定される窒素ガスの透過量ｎＮ２も固体高分子型燃料電池１０の現実の動作状況にマッチしたより精度の良いものとなる。更にその結果、その透過量ｎＮ２の積算値ΣｎＮ２に基づいて、水素ガスを更に無駄に排出させることなく、固体高分子型燃料電池１０の動作に支障をきたすことのないタイミングでアノード極１３側の燃料ガスのパージ処理を行なうことができるようになる。
【００６４】
なお、前述した各燃料電池システムでは、酸化剤ガスとしての空気に含まれる窒素ガスの電解質膜１１における透過量ｎＮ２を推定するものであったが、燃料ガスとしての水素ガスや、酸化剤ガスと燃料ガスとの反応の過程で生成される水蒸気（水）の電解質膜１１における透過量を推定する場合にも、同様の処理を適用することができる。
また、上記第１実施形態、第２実施形態のいずれにおいても、カソード極１２側の窒素ガス分圧ＰＣＮ２とアノード極１３側の窒素ガス分圧ＰＡＮ２との差に基づいて窒素ガス
の透過量ｎＮ２を推定した。しかし、本発明の実施は、このような構成および作用に限定されるものではない。例えば、カソード極１２側の水素ガス分圧ＰＣＨ２とアノード極１３側の窒素ガス分圧ＰＡＨ２との差に基づいて水素ガスの透過量を推定することもできる。また、カソード極１２側の水蒸気分圧ＰＣＨ２Ｏとアノード極１３側の水蒸気分圧ＰＡＨ２Ｏとの差に基づいて水蒸気の透過量を推定してもよい。
また、上記第１実施形態、第２実施形態のいずれにおいても、アノード側から燃料ガス排出通路３０２に排出された燃料ガスを燃料ガス通路３０１に循環させる燃料ガス循環型の燃料電池システムを例に本発明の実施形態を説明した。しかし、本発明の実施は、循環型の燃料電池に限定されるものではなく、循環通路のないデッドエンド型の燃料電池において本発明を実施してもよい。
【産業上の利用可能性】
【００６５】
以上、説明したように、本発明に係る燃料電池システムは、固体高分子型燃料電池における固体高分子膜を透過する所定ガスの量を簡易に推定することができ、より安価なものとなるという効果を有し、固体高分子型燃料電池を備えた燃料電池システムとして有用である。
【図面の簡単な説明】
【００６６】
【図１】本発明の第一の実施の形態に係る燃料電池システムを示す図である。
【図２】パージを行なわない場合における固体高分子型燃料電池のアノード側における全ガス圧（ＰＡtotal）及び窒素ガス分圧（ＰＡＮ２）の時間変化と、同カソード側における全ガス圧（ＰＣtotal）及び窒素ガス分圧（ＰＣＮ２）の時間変化とを示す図である。
【図３】図１に示す燃料電池システムにおける制御ユニットの処理手順を示すフローチャートである。
【図４】パージを行なう場合における固体高分子型燃料電池のアノード側における全ガス圧（ＰＡtotal）及び窒素ガス分圧（ＰＡＮ２）の時間変化を示す図である。
【図５】図１に示す燃料電池システムにおける制御ユニットの他の処理手順を示すフローチャートである。
【図６】本発明の第二の実施の形態に係る燃料電池システムを示す図である。
【図７】固体高分子型燃料電池のアノード側の窒素濃度の状態を示す図である。
【図８】固体高分子型燃料電池のＩ−Ｖ特性（出力特性）とアノード側の窒素濃度との関係を示す図である。
【図９】図６に示す燃料電池システムにおける制御ユニットの処理手順を示すフローチャートである。
【符号の説明】
【００６７】
１０  固体高分子型燃料電池（単セル）
１１  電解質膜（固体高分子膜）
１２  カソード極
１３  アノード極
１４ａ、１４ｂ  セパレータ
２１  エア供給器
２２  カソード側供給ガス圧センサ
２３  カソード側排出ガス圧センサ
３１  水素ガスボンベ
３２  レギュレータ
３３  水素ポンプ
３４  逆止弁
３５  プッシュ弁
３６  アノード側供給ガス圧センサ
３７  カソード側排出ガス圧センサ
４０  制御ユニット
４１  電圧検出器
４２  電流検出器
１００  負荷
２０１  エア供給通路
２０２  エア排出通路
３０１  燃料ガス供給通路
３０２  燃料ガス排出通路
３０３  燃料ガス帰還通路
３０４  燃料ガスパージ通路
【図１】
2006228528.tif 000003
【図２】
2006228528.tif 000004
【図３】
2006228528.tif 000005
【図４】
2006228528.tif 000006
【図５】
2006228528.tif 000007
【図６】
2006228528.tif 000008
【図７】
2006228528.tif 000009
【図８】
2006228528.tif 000010
【図９】
2006228528.tif 000011